(57)【要約】【課題】装置本体に接続されるＨＤＤ使用機器が不安定作動を行っているときには、接続機器の作動を停止することができる「接続機器不安定作動検出保護装置」とする。【解決手段】車両用オーディオ装置１にＨＤＤ使用機器が接続されたとき、接続機器メディア種別検出部７がこれを検出し、接続機器作動検出部８の作動検出出力で、接続機器不安定作動検出出力部１３が不安定作動を検出すると、作動停止指示部１４の指示により接続機器の作動を停止し、或いは不安定作動警告出力部１５から利用者に警告出力を行う。また、温度・気圧検出部９による検出結果により、温度・気圧制限領域作動検出部１２が、ＨＤＤの作動不良を生じる温度或いは圧力の領域であることを検出すると、接続機器不安定作動検出出力部１３により作動停止指示を行い、不安定作動警告出力部１５により警告出力を行う。【選択図】図１
2007293978.tif 000002
【特許請求の範囲】
【請求項１】
装置本体に接続した機器のデータ記憶媒体の種別を検出する接続機器メディア種別検出手段と、
前記装置本体に接続した機器の作動状態を検出する接続機器作動検出手段と、
前記接続機器メディア種別検出手段により接続機器のデータ記憶媒体がハードディスクであることを検出し、且つ前記接続機器作動検出手段で不安定作動を行っていることを検出したとき、接続機器の作動が不安定であることを出力する接続機器不安定作動検出出力手段とを備えたことを特徴とする接続機器不安定作動検出保護装置。
【請求項２】
周囲の温度或いは気圧を検出する温度・気圧検出手段と、
前記温度・気圧検出手段で検出した温度或いは気圧のうち少なくともいずれかが、装置本体に接続した機器の不安定作動領域であることを検出する温度気圧制限領域作動検出手段と、
前記温度気圧制限領域作動検出手段で、接続機器の不安定作動領域で作動していることを検出したとき、接続機器の作動が不安定作動領域で作動していることを出力する接続機器不安定作動検出出力手段とを備えたことを特徴とする接続機器不安定作動検出保護装置。
【請求項３】
装置本体に接続した機器のデータ記憶媒体の種別を検出する接続機器メディア種別検出手段と、
周囲の温度或いは気圧を検出する温度・気圧検出手段と、
前記接続機器メディア種別検出手段により接続機器のデータ記憶媒体がハードディスクであることを検出し、且つ前記温度・気圧検出手段で検出した温度或いは気圧のうち少なくともいずれかが、接続した機器の不安定作動領域であることを検出したときに、接続機器の作動が不安定作動領域で作動していることを出力する接続機器不安定作動検出出力手段とを備えたことを特徴とする接続機器不安定作動検出保護装置。
【請求項４】
前記接続機器不安定作動検出出力手段で、接続機器の作動が不安定であることを出力したとき、或いは不安定領域で作動していることを出力したときには、接続機器の作動を停止する作動停止手段を備えたことを特徴とする請求項１〜３のいずれかに記載の接続機器不安定作動検出保護装置。
【請求項５】
前記接続機器不安定作動検出出力手段で、接続機器の作動が不安定であることを出力したとき、或いは不安定作動領域で作動していることを出力したときには、利用者に警告を出力する不安定作動警告出力手段を備えたことを特徴とする請求項１〜３のいずれかに記載の接続機器不安定作動検出保護装置。
【請求項６】
前記接続機器不安定作動検出保護装置を車両用オーディオ装置に設けたことを特徴とする請求項１〜３のいずれかに記載の接続機器不安定作動検出保護装置。
【発明の詳細な説明】
【技術分野】
【０００１】
本発明は例えば車両用オーディオ装置に接続した機器が、温度や圧力等の影響で不安定作動を行う範囲で作動しているとき、また不安定作動を行っているとき、これを検出して利用者に知らせ、或いはそれらの機器の作動を停止して、外部接続機器の保護を行うことができるようにした接続機器不安定作動検出保護装置に関する。
【背景技術】
【０００２】
例えば車両用オーディオ装置には、近年広く使用されるようになっている大容量データ記憶手段を備えた携帯用オーディオ機器を車両に持ち込み、有線或いは無線により車両用オーディオ装置と接続し、携帯用オーディオ機器に記録したオーディオを再生して車両のスピーカーで聞くことが行われている。このような携帯用オーディオ機器の大容量データ記憶手段としては、主として大容量フラッシュメモリ等を用いたＮＡＮＤフラッシュ系メモリと、ハードディスクを用いたハードディスク系とが存在する。
【０００３】
一方、ハードディスクは所定以上の高温及び所定以下の低温によって動作が不安定になることが知られている。また、気圧によっても動作が不安定になり、所定以上の高気圧及び所定以下の低気圧によって不安定になることがある。特に、前記のような携帯用オーディオ機器においてハードディスクを用いたものでは、持ち運ばれる使用環境に応じて温度変化が生じ、気圧変化が生じることが多くなる。
【０００４】
更に車両にこれらのハードディスクを用いた携帯用オーディオ機器を持ち込んで、車両用オーディオ装置に接続して使用すると、例えば真夏のドライブにおいて屋外の駐車場に駐車したまま車から離れるときには、車内が５０度Ｃ以上に温度上昇することがあり、それらの機器のハードディスクが高温となって、その後再びオーディオ装置を作動するとき、接続したオーディオ機器が不安定作動し、そのハードディスクが損傷することもある。また、冬季においては車両が極寒になることもあり、その際も同様に不安定作動し、また損傷することもある。更に、車両が高山に登ることもあり、その気圧状態で不安定作動し、損傷することも考えられる。
【０００５】
このようにハードディスクの使用環境によって、ハードディスクの不安定作動の発生を防止する技術として、車両搭載機器にハードディスクを用いるとき、車速条件により、また温度条件により、更には結露条件によって、ハードディスクの使用を制限するようにした技術が特開２０００−１１３５６３号公報に開示されている。
【特許文献１】特開２０００−１１３５６３号公報
【発明の開示】
【発明が解決しようとする課題】
【０００６】
前記のように、特に車両においては使用環境の温度条件、気圧条件が厳しく、ハードディスクを用いた機器を車両において用いると、これらの条件によって作動不良を生じ、またハードディスクの損傷の恐れがある。特に車両に持ち込まれる携帯用オーディオ機器は安価で小型に作られているため、これらの環境条件に対応する手段を備えることは困難であり、ほとんどの機器はこれらの対応手段を備えていない。このことは車両用機器に限らず、一般家庭用の機器において用いる場合も同様である。
【０００７】
したがって本発明は、装置本体に接続されるハードディスク使用機器の不安定作動を検出し、また不安定作動する可能性があることを検出し、利用者にその旨を伝え、或いはそれらの機器の作動を制限することにより、ハードディスクの損傷を生じることがないようにした接続機器不安定作動検出保護装置を提供することを主たる目的とする。
【課題を解決するための手段】
【０００８】
本発明に係る接続機器不安定作動検出保護装置は、前記課題を解決するため、装置本体に接続した機器のデータ記憶媒体の種別を検出する接続機器メディア種別検出手段と、前記装置本体に接続した機器の作動状態を検出する接続機器作動検出手段と、前記接続機器メディア種別検出手段により接続機器のデータ記憶媒体がハードディスクであることを検出し、且つ前記接続機器作動検出手段で不安定作動を行っていることを検出したとき、接続機器の作動が不安定であることを出力する接続機器不安定作動検出出力手段とを備えたことを特徴とする。
【０００９】
また、本発明に係る他の接続機器不安定作動検出保護装置は、周囲の温度或いは気圧を検出する温度・気圧検出手段と、前記温度・気圧検出手段で検出した温度或いは気圧のうち少なくともいずれかが、装置本体に接続した機器の不安定作動領域であることを検出する温度気圧制限領域作動検出手段と、前記温度気圧制限領域作動検出手段で、接続機器の不安定作動領域で作動していることを検出したとき、接続機器の作動が不安定領域で作動していることを出力する接続機器不安定作動検出出力手段とを備えたことを特徴とする。
【００１０】
また、本発明に係る他の接続機器不安定作動検出保護装置は、装置本体に接続した機器のデータ記憶媒体の種別を検出する接続機器メディア種別検出手段と、周囲の温度或いは気圧を検出する温度・気圧検出手段と、前記接続機器メディア種別検出手段により接続機器のデータ記憶媒体がハードディスクであることを検出し、且つ前記温度・気圧検出手段で検出した温度或いは気圧のうち少なくともいずれかが、接続した機器の不安定作動領域であることを検出したときに、接続機器の作動が不安定領域で作動していることを出力する接続機器不安定作動検出出力手段とを備えたことを特徴とする。
【００１１】
また、本発明に係る他の接続機器不安定作動検出保護装置は、前記接続機器不安定作動検出保護装置において、前記接続機器不安定作動検出出力手段で、接続機器の作動が不安定であることを出力したとき、或いは不安定領域で作動していることを出力したときには、接続機器の作動を停止する作動停止手段を備えたことを特徴とする。
【００１２】
また、本発明に係る他の接続機器不安定作動検出保護装置は、前記接続機器不安定作動検出保護装置において、前記接続機器不安定作動検出出力手段で、接続機器の作動が不安定であることを出力したとき、或いは不安定領域で作動していることを出力したときには、利用者に警告を出力する不安定作動警告出力手段を備えたことを特徴とする。
【００１３】
また、本発明に係る他の接続機器不安定作動検出保護装置は、前記接続機器不安定作動検出保護装置において、前記接続機器不安定作動検出保護装置を車両用オーディオ装置に設けたことを特徴とする。
【発明の効果】
【００１４】
本発明は上記のように構成したので、装置本体に接続されるハードディスク使用機器の不安定作動を検出し、或いは不安定作動を行うと推定される状態を検出し、その時には接続機器の作動を停止し、或いは利用者にその旨を伝えることができるので、このような機能を備えない接続機器の保護を確実に行うことができるようになる。
【発明を実施するための最良の形態】
【００１５】
本発明は、装置本体に接続されるハードディスク使用機器が不安定作動を行っているとき、或いは行う可能性のあるときには、接続機器の作動を停止し、或いは利用者にその旨を伝えるという課題を、装置本体に接続した機器のデータ記憶媒体の種別を検出する接続機器メディア種別検出手段と、前記装置本体に接続した機器の作動状態を検出する接続機器作動検出手段と、前記接続機器メディア種別検出手段により接続機器のデータ記憶媒体がハードディスクであることを検出し、且つ前記接続機器作動検出手段で不安定作動を行っていることを検出したとき、接続機器の作動が不安定であることを出力する接続機器不安定作動検出出力手段とを備えることにより、また、周囲の温度或いは気圧を検出する温度・気圧検出手段と、前記温度・気圧検出手段で検出した温度或いは気圧のうち少なくともいずれかが、装置本体に接続した機器の不安定作動領域であることを検出する温度気圧制限領域作動検出手段と、前記温度気圧制限領域作動検出手段で、接続機器の不安定作動領域で作動していることを検出したとき、接続機器の作動が不安定であることを推定出力することにより、更にはこれらの組み合わせることにより実現した。
【実施例１】
【００１６】
本発明の実施例を図面に沿って説明する。図３には本発明を車両用オーディオ装置のヘッドユニット（ＨＵ）３１に適用し、このヘッドユニット３１に携帯オーディオ機器３２と、ＨＤＤを備えた携帯情報端末（ＰＤＡ）３３を接続し、それらのいずれかを選択して入力するヘッドユニット３１により再生して、車内スピーカーシステム３４から出力する例を示している。ここで携帯オーディオ機器３２に内蔵するオーディオ記録媒体としては、フラッシュメモリの他、ＨＤＤの場合も存在する。なお、本発明はこのような車内オーディオ装置に限らず、家庭用オーディオ装置を含め種々のオーディオ装置においても同様に利用することができ、また、オーディオ装置に限らず、ハードディスク搭載機器を接続する各種装置に対しても同様に利用することができる。
【００１７】
図３に示すようなシステムにおける本発明のシステム概要を図４に示す。同図に示されるようにヘッドユニット４１には、図３のＨＤＤを備えた携帯オーディオ機器３２やＨＤＤを備えた携帯情報端末３３等の外部ＨＤＤ４２を接続した例を示している。このヘッドユニット４１にはユーザーが種々のオーディオ再生を行うことができるようにアプリケーションソフト４３を備え、そのソフトによりチェック用コントローラ４４、及び再生用コントローラ４５を制御している。
【００１８】
再生用コントローラ４５では、外部ＨＤＤ４２をドライバ４６で作動してデータを読み込み、オーディオ出力する。またチェック用コントローラ４５では、ドライバ４６で読み込んだ外部ＨＤＤ４２の動作が安定しているか否かをチェックし、動作が不安定となったときには、ドライバ４６によって外部ＨＤＤの作動を停止する。図４は本発明の最も基本的な作動を示したものであり、このほか種々の機能を付加することができる。
【００１９】
図１は前記図４に示した機能ブロック図を更に詳細に示したものであり、図１に示す例においても、本発明を車両用オーディオ装置１に適用した例を示している。図１における車両用オーディオ装置は、通常はラジオ、ＣＤプレーヤ、ＭＤプレーヤ、カセットテープ等の内部オーディオソース２を備えており、定常的なオーディオ出力時には、これらの内部オーディオソース２を再生制御部３によって制御を行い、オーディオ出力をスピーカー４から車内に出力する。
【００２０】
この車両用オーディオ装置１には外部機器接続部５を備え、この外部機器接続部５には例えばＵＳＢケーブルにより、オーディオデータ記憶装置としてＨＤＤを備えたＨＤＤ系オーディオ機器２０を接続し、或いは大容量のフラッシュメモリにＭＰ３等のオーディオデータを記録したＮＡＮＤフラッシュ系オーディオ機器２１を接続し、或いは内部のデータ記憶媒体としてＨＤＤを備え、そのＨＤＤにオーディオデータ、或いは各種データを記録した、ＰＤＡを含む携帯用パソコン２２を接続し、更にはオーディオデータを記録した携帯用の外付けＨＤＤ等を接続可能となっている。これらの機器の接続に際しては、前記のようなＵＳＢケーブルの他、パソコン等で通常用いられている各種通信形式によるケーブル、更には各機器特有の接続ケーブルによっても接続されるが、これらは全て車両用オーディオ装置５から制御可能とする。
【００２１】
接続機器データ取込部６においては、上記のように外部機器接続部５に接続した各種接続機器のデータを取り込み、通常のオーディオ再生装置と同様に、この接続機器データ取込部６で取り込んだオーディオデータを、再生制御部３によって再生し、これを車内に設置されているスピーカー４から出力する。また、再生制御部３においてはオーディオ再生順の制御、再生速度制御、作動停止制御等の種々の制御信号を、外部機器接続部５を介して、接続されている機器に出力し、利用者の意志に沿った任意の再生が可能となる。
【００２２】
接続機器メディア種別検出部７においては、外部機器接続部５に接続している各種機器に関し、接続機器データ取込部６で取り込んだ各機器情報に基づいて、接続されている機器が用いているデータ記憶手段がＨＤＤ系であるか否か、即ちＮＡＮＤフラッシュ系オーディオ装置ではないことを検出し、その検出結果を作動停止指示部１３に出力する。接続機器作動検出部８では、接続機器データ取込部６で取り込んだデータにより、接続機器の作動状態を検出している。接続機器不安定作動検出部１３では、接続機器メディア種別検出部７で現在接続されている機器で用いられている記録媒体がＨＤＤ系であることを検出し、接続機器作動検出部８で検出した機器作動状態により、例えば外部接続機器におけるデータの読み取り不良の継続等の、不安定な動作を検出したときには、接続機器不安定作動検出出力部１３を介してこれを作動停止指示部１４及び不安定作動警告出力部１５に出力する。
【００２３】
この車両用オーディオ装置１には温度・気圧検出部９を備え、温度センサ１０でこの車両用オーディオ装置が設置されている部分、或いは車内の温度を測定し、また圧力センサ１１で周囲環境の気圧を測定し、その測定結果を温度・気圧制限領域作動検出部１２に出力する。温度・気圧検出部９は温度と気圧のいずれかを測定すればよいが、両方測定することが好ましい。温度・気圧制限領域作動検出部１２においては、それらの測定結果に基づき、予め設定している所定の温度、及び所定の圧力の上下限値と比較して、各閾値を超える制限領域において機器が作動しているか否かを検出する。その検出結果により閾値を超える制限領域において機器が作動していることを検出したときには、接続機器が不安定な作動を行っているか、行う可能性があると推定し、接続機器不安定作動検出出力部１３にその旨の出力を行う。
【００２４】
作動停止指示部１４においては、前記接続機器不安定作動検出出力部１３で、接続機器がＨＤＤオーディオ系、或いはＨＤＤを用いた機器が接続されている状態で、接続機器の作動が不安定であることを検出したとき、及び温度・気圧制限領域作動検出部１２で接続機器が不安定な作動を行う環境にあることを検出することにより、現在不安定な作動を行う環境である旨の出力がなされたとき、再生制御部３に対して作動を停止する旨の指示出力を行う。
【００２５】
作動停止指示部１４においては、温度・気圧制限領域作動検出部１２で接続機器が不安定作動を行う制限領域で作動していることを検出したとき、その信号のみで直ちに外部接続機器の再生作動を停止するように構成することもできるが、更に接続機器メディアの種別検出部７で、接続している機器がＨＤＤであることを検出しているときにその停止指示を行うようにしても良い。
【００２６】
不安定作動警告出力部１５では、前記接続機器不安定作動検出出力部１３において、接続機器が不安定作動を行っている、或いは行う環境にあることを検出したのと同様に、ここにおいてもＨＤＤを用いた接続機器が不安定な作動を行っている、或いは行う環境にあることを検出し、利用者にその旨を知らせるため、車両オーディオ装置の表示部等にその旨を表示し、或いは音声によってその旨を出力する。
【００２７】
上記のような機能ブロックからなる本発明の接続機器不安定作動検出装置においては、例えば図２に示す作動フローにより順に作動させることができる。図２に示す例においては、外部接続機器の作動に対応した制御系統で、最初に接続機器信号の入力を行う（ステップＳ１）。この接続により、前記図４の再生コントローラ４５の作動によって、接続機器のオーディオ再生制御がなされる（ステップＳ２）。
【００２８】
一方、ステップＳ１で接続機器信号が入力したときには、接続機器メディア種別の確認をランダムアクセスにより行う（ステップＳ３）。次いで、接続機器はＨＤＤ系であるか否かを判別する（ステップＳ４）。ここでＨＤＤ系ではないと判別したときには、再びステップＳ３に戻って前記作動を繰り返す。ステップＳ４において、現在接続され、再生作動している機器がＨＤＤ系であると判別したときには、一定周期で現在再生作動している接続機器の動作確認を行う（ステップＳ５）。
【００２９】
ステップＳ５における動作確認により、不安定作動を検出したか否かを判別し（ステップＳ６）、不安定作動を検出しないときには、ステップＳ４に戻って前記作動を繰り返す。ここで不安定作動を検出したときには、現在再生している外部接続機器について、その作動を強制停止する（ステップＳ１０）。それにより、外部接続機器が何らかの原因で不安定作動を行ったときには、直ちに作動を停止することができ、外部接続機器がそのような機能を備えていない場合でも、確実に接続機器を保護することができる。
【００３０】
また図２における自律検出作動系、即ち前記ステップＳ３〜Ｓ６における外部接続機器の作動に対応した機器の保護と異なり、車両用オーディオ装置のヘッドユニットの自律的な機能として、温度及び気圧を検出し（ステップＳ７）、温度は制限範囲内にあるか否かを判別し（ステップＳ８）、制限範囲内ではない、即ち外部接続機器にとって不安定作動を行っている可能性があるか、或いはその危険性があり、更には機器損傷の危険があると判断される範囲の温度になっているときには、ステップＳ１０に進んで接続機器の作動を強制停止する。
【００３１】
ステップＳ８において検出した温度は制限範囲内であると判別したときには、気圧は制限範囲であるか否かを判別する（ステップＳ９）。この判別において、現在の気圧は制限範囲ではない、即ち外部接続機器にとって不安定作動を行う危険性があり、更には損傷の危険があると判断される範囲の気圧になっているときには、ステップＳ１０に進んで接続機器の作動を強制的に停止する。また、ステップＳ９において気圧は制限範囲内であると判別したときには、ステップＳ７に戻って前記作動を繰り返す。なお、この実施例においては、温度と気圧の両方を検出し、その検出結果により制御を行った例を示したが、温度と気圧のうち、少なくともいずれかを検出して制御を行うようにしても良い。
【００３２】
前記作動フローにおいては、ステップＳ７〜Ｓ１０の作動をステップＳ３以降の作動とは独立して作動させた例を示したが、その他にステップＳ４において接続機器がＨＤＤ系であることを検出したときにおいて、自律検出作動系としてのステップＳ７〜Ｓ１０の作動を行うように設定しても良い。また、前記のように、外部接続機器が不安定作動を行う領域の時、外部接続機器を停止する以外に、前記のように車両用オーディオ装置の表示部に対して外部接続機器の作動が不安定となっている、或いは不安定になる恐れがある旨を表示を行い、更には音声によりその旨の出力を行うようにしても良い。
【産業上の利用可能性】
【００３３】
前記実施例においては、本発明を車両用オーディオ装置に適用した例を示したが、これに限らず家庭用オーディオ装置を含め種々のオーディオ装置においても同様に利用することができ、また、オーディオ装置に限らず、ハードディスク搭載機器を接続する各種装置に対しても同様に利用することができる。
【図面の簡単な説明】
【００３４】
【図１】本発明の実施例の機能ブロック図である。
【図２】同実施例の作動フロー図である。
【図３】本発明を車両用オーディオ装置に適用したときのシステム例を示す図である。
【図４】本発明を車両用オーディオ装置に適用したときにシステム構成図である。
【符号の説明】
【００３５】
１  車両用オーディオ装置    
２  内部オーディオソース
３  再生制御部
４  スピーカー
５  外部機器接続部
６  接続機器データ取込部
７  接続機器メディア種別検出部
８  接続機器作動検出部
９  温度気圧検出部
１０  温度センサ
１１  気圧センサ
１２  温度・気圧制限領域作動検出部
１３  接続機器不安定作動検出出力部
１４  作動停止指示部
１５  不安定作動警告出力部
２０  ＨＤＤ系オーディオ機器
２１  ＮＡＮＤフラッシュ系オーディオ機器
２２  携帯用パソコン
２３  外付けＨＤＤ
【図１】
2007293978.tif 000003
【図２】
2007293978.tif 000004
【図３】
2007293978.tif 000005
【図４】
2007293978.tif 000006